(57)【特許請求の範囲】
【請求項１】
通行者を識別する識別情報と当該通行者の現在の居場所を示す第１の居場所情報とが記録されたＩＤカードに基づいて、通行者の出入りを管理する出入管理装置と、
前記通行者の現在または過去の居場所を示す第２の居場所情報が記録されている計算機サーバと、を備え、
前記ＩＤカードには、前記通行者が前回通行した出入管理装置が、前記計算機サーバと通信可能なオンライン状態であったか、または前記計算機サーバと通信不能なオフライン状態であったかを示す前回通行モード情報が記録され、
前記オンライン状態の前記出入管理装置を前記通行者が通行した際には、前記計算機サーバは前記出入管理装置が設置されている場所に基づいて、当該通行者の前記第２の居場所情報を特定して記録し、
前記出入管理装置は、前記ＩＤカードから読み取った前記前回通行モード情報に基づいて前記通行者の通行を許可するか否か判定する通行判定処理部を有し、前記通行判定処理部は、前記前回通行モード情報が前記オンライン状態を示す場合には、前記計算機サーバに記録されている前記第２の居場所情報に基づいて前記通行者の通行を許可するか否か判定する第１の判定動作を実行し、前記前回通行モード情報が前記オフライン状態を示す場合には、前記ＩＤカードに記録された前記第１の居場所情報に基づいて前記通行者の通行を許可するか否か判定する第２の判定動作を実行するとともに、前記第２の判定動作によって前記通行者の通行を許可した場合に前記ＩＤカードに記録された前記第１の居場所情報を更新する、出入管理システム。
【請求項２】
通行者を識別する識別情報と当該通行者の現在の居場所を示す第１の居場所情報とが記録されたＩＤカードに基づいて、通行者の出入りを管理する出入管理装置と、
前記通行者の現在または過去の居場所を示す第２の居場所情報が記録されている計算機サーバと、を備え、
前記ＩＤカードには、前記通行者が前回通行した出入管理装置が、前記計算機サーバと通信可能なオンライン状態であったか、または前記計算機サーバと通信不能なオフライン状態であったかを示す前回通行モード情報が記録され、
前記オンライン状態の前記出入管理装置を前記通行者が通行した際には、前記計算機サーバは前記出入管理装置が設置されている場所に基づいて、当該通行者の前記第２の居場所情報を特定して記録し、
前記出入管理装置は、前記ＩＤカードから読み取った前記前回通行モード情報に基づいて前記通行者の通行を許可するか否か判定する通行判定処理部を有し、前記通行判定処理部は、前記前回通行モード情報が前記オンライン状態を示す場合には、前記計算機サーバに記録されている前記第２の居場所情報に基づいて前記通行者の通行を許可するか否か判定する第１の判定動作を実行し、前記前回通行モード情報が前記オフライン状態を示す場合には、前記ＩＤカードに記録された前記第１の居場所情報に基づいて前記通行者の通行を許可するか否か判定する第２の判定動作を実行し、
前記出入管理装置が前記オフライン状態から前記オンライン状態に切り替わった後に、前記計算機サーバには、当該出入管理装置が前記オフライン状態であった時に通行した通行者の通行履歴を示すオフライン通行履歴情報が記録され、
前記出入管理装置は、前記前回通行モード情報が前記オフライン状態を示す場合に、前記オフライン通行履歴情報に基づいて前記通行者の現在の居場所を特定し、特定した居場所と前記ＩＤカードに記録されている前記第１の居場所情報とを比較し、両者が一致する場合に前記通行判定処理部に前記第１の判定動作を実行するように指示し、両者が一致しない場合に前記通行判定処理部に前記第２の判定動作を実行するように指示する居場所比較部をさらに有する、出入管理システム。
【請求項３】
通行者を識別する識別情報と当該通行者の現在の居場所を示す第１の居場所情報とが記録されたＩＤカードに基づいて、通行者の出入りを管理する出入管理装置と、
前記通行者の現在または過去の居場所を示す第２の居場所情報が記録されている計算機サーバと、を備え、
前記ＩＤカードには、前記通行者が前回通行した出入管理装置が、前記計算機サーバと通信可能なオンライン状態であったか、または前記計算機サーバと通信不能なオフライン状態であったかを示す前回通行モード情報が記録され、
前記オンライン状態の前記出入管理装置を前記通行者が通行した際には、前記計算機サーバは前記出入管理装置が設置されている場所に基づいて、当該通行者の前記第２の居場所情報を特定して記録し、
前記出入管理装置は、前記ＩＤカードから読み取った前記前回通行モード情報に基づいて前記通行者の通行を許可するか否か判定する通行判定処理部を有し、前記通行判定処理部は、前記前回通行モード情報が前記オンライン状態を示す場合には、前記計算機サーバに記録されている前記第２の居場所情報に基づいて前記通行者の通行を許可するか否か判定する第１の判定動作を実行し、前記前回通行モード情報が前記オフライン状態を示す場合には、前記ＩＤカードに記録された前記第１の居場所情報に基づいて前記通行者の通行を許可するか否か判定する第２の判定動作を実行し、
前記ＩＤカードには、前記通行者の通行が不許可の場合に、その旨を示す通行判定情報が記録されるとともに前記通行者が出入りしようとした場所が前記第１の居場所情報として記録され、
前記通行判定処理部は、前記ＩＤカードから読み取った前記前回通行モード情報が前記オフライン状態を示し、かつ前記ＩＤカードから読み取った前記通行判定情報が前記通行者の通行が不許可であったことを示す場合、前記ＩＤカードに記録されている前記第１の居場所情報の１つ前の居場所情報に基づいて、前記通行者の通行を許可するか否か判定する第３の判定動作を実行する、出入管理システム。
【請求項４】
通行者を識別する識別情報と当該通行者の現在の居場所を示す第１の居場所情報とが記録されたＩＤカードに基づいて、通行者の出入りを管理する出入管理装置と、
前記通行者の現在または過去の居場所を示す第２の居場所情報が記録されている計算機サーバと、を備え、
前記ＩＤカードには、前記通行者が前回通行した出入管理装置が、前記計算機サーバと通信可能なオンライン状態であったか、または前記計算機サーバと通信不能なオフライン状態であったかを示す前回通行モード情報が記録され、
前記オンライン状態の前記出入管理装置を前記通行者が通行した際には、前記計算機サーバは前記出入管理装置が設置されている場所に基づいて、当該通行者の前記第２の居場所情報を特定して記録し、
前記出入管理装置は、前記ＩＤカードから読み取った前記前回通行モード情報に基づいて前記通行者の通行を許可するか否か判定する通行判定処理部を有し、前記通行判定処理部は、前記前回通行モード情報が前記オンライン状態を示す場合には、前記計算機サーバに記録されている前記第２の居場所情報に基づいて前記通行者の通行を許可するか否か判定する第１の判定動作を実行し、前記前回通行モード情報が前記オフライン状態を示す場合には、前記ＩＤカードに記録された前記第１の居場所情報に基づいて前記通行者の通行を許可するか否か判定する第２の判定動作を実行し、
前記ＩＤカードには、前記通行者が通行した前記出入管理装置の履歴を示す通行履歴情報が記録され、
前記通行判定処理部は、前記ＩＤカードから読み取った前記前回通行モード情報が前記オフライン状態を示す場合、前記ＩＤカードから前記通行履歴情報を読み取り、読み取った通行履歴情報を前記計算機サーバへ送り、
前記計算機サーバは、前記通行判定処理部から送られた前記通行履歴情報に基づいて、自身に記録されている前記通行者の通行履歴情報を更新する、出入管理システム。
【請求項５】
前記計算機サーバは、前記出入管理装置が前記オフライン状態である時に前記通行者が通行した履歴を示すオフライン通行履歴情報と、前記通行判定処理部から送られた前記通行者の前記通行履歴情報とを比較し、前記オフライン通行履歴情報が前記通行履歴情報に含まれていない通行者が存在した場合、当該通行者を示す通行履歴アンマッチ情報を前記出入管理装置へ送り、
前記出入管理装置は、前記計算機サーバから前記通行履歴アンマッチ情報を受け取ると、当該通行履歴アンマッチ情報に示された通行者の通行を許可しないように前記通行判定処理部に指示する通行制限判定部をさらに有する、請求項４に記載の出入管理システム。
【請求項６】
通行者を識別する識別情報と当該通行者の現在の居場所を示す第１の居場所情報とが記録されたＩＤカードに基づいて、通行者の出入りを管理する出入管理装置と、
前記通行者の現在または過去の居場所を示す第２の居場所情報が記録されている計算機サーバと、を用いる出入管理方法であって、
前記ＩＤカードに、前記通行者が前回通行した出入管理装置が、前記計算機サーバと通信可能なオンライン状態であったか、または前記計算機サーバと通信不能なオフライン状態であったかを示す前回通行モード情報を記録するステップと、
前記オンライン状態の前記出入管理装置を前記通行者が通行した際に、前記計算機サーバが、前記出入管理装置が設置されている場所に基づいて、当該通行者の前記第２の居場所情報を特定して記録するステップと、
前記出入管理装置が、前記ＩＤカードから前記前回通行モード情報を読み取り、読み取った前記前回通行モード情報が前記オンライン状態を示す場合には、前記計算機サーバに記録されている前記第２の居場所情報に基づいて前記通行者の通行を許可するか否か判定する第１の判定動作を実行し、読み取った前記前回通行モード情報が前記オフライン状態を示す場合には、前記ＩＤカードに記録された前記第１の居場所情報に基づいて前記通行者の通行を許可するか否か判定する第２の判定動作を実行するとともに、前記第２の判定動作によって前記通行者の通行を許可した場合に前記ＩＤカードに記録された前記第１の居場所情報を更新するステップと、
を備える出入管理方法。
【発明の詳細な説明】
【技術分野】
【０００１】
本発明の実施形態は、出入管理システム、および出入管理方法に関する。
【背景技術】
【０００２】
出入管理システムは、許可されていない者の通行を防止するためのシステムであり、一般的に、通行者が所持するＩＤカードに基づいて当該通行者の出入りを管理する出入管理装置と、出入管理装置と通信可能な計算機サーバとで構成される。出入管理装置は、ＩＤカードに記録された情報と、計算機サーバに記録された情報とを照合し、照合結果に基づいて通行を許可するか否か判定する。これにより、通行を許可された者だけを出入りさせることが可能となる。
【先行技術文献】
【特許文献】
【０００３】
【特許文献１】特許第５１１７０６３号公報
【発明の概要】
【発明が解決しようとする課題】
【０００４】
上述した出入管理装置システムでは、出入管理装置が計算機サーバの情報を用いて通行判定することによって、ＩＤカードの改ざん等の不正な通行を防いでいる。しかし、出入管理装置は、故障やメンテナンス等の理由により計算機サーバと通信不能なオフライン状態になる場合がある。この場合、他の出入管理装置は、計算機サーバと通信可能なオンライン状態であったとしても、オフライン状態の出入管理装置と同様に、計算機サーバの情報を用いることなく通行判定する。そのため、上述した出入管理装置システムでは、オフライン状態の出入管理装置と、オンライン状態の出入管理装置と、が混在する環境下において、不正な通行に対するセキュリティレベルを確保することが困難になる。
【０００５】
そこで、本発明が解決しようとする課題は、オフライン状態の出入管理装置とオンライン状態の出入管理装置とが混在する環境下であっても不正な通行に対するセキュリティレベルを確保することが可能な出入管理システム、および出入管理方法を提供することを目的とする。
【課題を解決するための手段】
【０００６】
一実施形態によれば、通行者を識別する識別情報と当該通行者の現在の居場所を示す第１の居場所情報とが記録されたＩＤカードに基づいて、通行者の出入りを管理する出入管理装置と、
前記通行者の現在または過去の居場所を示す第２の居場所情報が記録されている計算機サーバと、を備え、
前記ＩＤカードには、前記通行者が前回通行した出入管理装置が、前記計算機サーバと通信可能なオンライン状態であったか、または前記計算機サーバと通信不能なオフライン状態であったかを示す前回通行モード情報が記録され、
前記オンライン状態の前記出入管理装置を前記通行者が通行した際に、前記計算機サーバは、前記出入管理装置が設置されている場所に基づいて、当該通行者の前記第２の居場所情報を特定して記録し、
前記出入管理装置は、前記ＩＤカードから読み取った前記前回通行モード情報に基づいて前記通行者の通行を許可するか否か判定する通行判定処理部を有し、前記通行判定処理部は、前記前回通行モード情報が前記オンライン状態を示す場合には、前記計算機サーバに記録されている前記第２の居場所情報に基づいて前記通行者の通行を許可するか否か判定する第１の判定動作を実行し、前記前回通行モード情報が前記オフライン状態を示す場合には、前記ＩＤカードに記録された前記第１の居場所情報に基づいて前記通行者の通行を許可するか否か判定する第２の判定動作を実行する出入管理システムが提供される。
【発明の効果】
【０００７】
オフライン状態の出入管理装置と、オンライン状態の出入管理装置と、が混在する環境下であっても、不正な通行に対するセキュリティレベルを確保することが可能となる。
【図面の簡単な説明】
【０００８】
【図１】第１の実施形態に係る出入管理システムの概略的な構成を示すブロック図である。
【図２】図１に示す出入管理装置のレイアウトを示す図である。
【図３】通行者がオフライン状態の出入管理装置を通行する際の、第１の実施形態に係る出入管理システムの動作を説明するための図である。
【図４】通行者がオンライン状態の出入管理装置を通行する際の、第１の実施形態に係る出入管理システムの動作を説明するための図である。
【図５】第２の実施形態に係る出入管理システムの概略的な構成を示すブロック図である。
【図６】オフライン状態の出入管理装置が、通行者の通行後にオンライン状態に切り替わった際の、第２の実施形態に係る出入管理システムの動作を説明するための図である。
【図７】通行者がオンライン状態の出入管理装置を通行する際の、第２の実施形態に係る出入管理システムの動作を説明するための図である。
【図８】第３の実施形態に係る出入管理システムの概略的な構成を示すブロック図である。
【図９】通行者がオフライン状態の出入管理装置を通行する際の、第３の実施形態に係る出入管理システムの動作を説明するための図である。
【図１０】通行者がオンライン状態の出入管理装置を通行する際の、第３の実施形態に係る出入管理システムの動作を説明するための図である。
【図１１】第４の実施形態に係る出入管理システムの概略的な構成を示すブロック図である。
【図１２】通行者がオンライン状態の出入管理装置を通行する際の、第４の実施形態に係る出入管理システムの動作を説明するための図である。
【図１３】第５の実施形態に係る出入管理システムの概略的な構成を示すブロック図である。
【図１４】通行者がオンライン状態の出入管理装置を通行する際の、第５の実施形態に係る出入管理システムの動作を説明するための図である。
【発明を実施するための形態】
【０００９】
以下、本発明の実施形態を、図面を参照して説明する。本実施形態は、本発明を限定するものではない。
【００１０】
（第１の実施形態）
図１は、第１の実施形態に係る出入管理システムの概略的な構成を示すブロック図である。図１に示すように、本実施形態に係る出入管理システム１１は、出入管理装置１０１と、計算機サーバ２０１と、を備える。
【００１１】
図２は、出入管理装置１０１のレイアウトを示す図である。図２に示すように、出入管理装置１０１は、場所Ａ〜場所Ｅの間にそれぞれ設置されている。本実施形態では、場所Ａ〜場所Ｅの間に出入管理装置１０１が１台ずつ設置されているが、複数台の出入管理装置１０１が設置されていてもよい。出入管理装置１０１は、ＩＤカード３０１に基づいて通行者の出入りを管理する。
【００１２】
ここで、図１に戻って、ＩＤカード３０１について説明する。ＩＤカード３０１には、個人識別情報３０２と、前回通行モード情報３０３と、居場所情報３０４と、が記録されている。個人識別情報３０２は、通行者を識別する情報である。前回通行モード情報３０３は、通行者が前回通行した出入管理装置１０１が、計算機サーバ２０１と通信可能なオンライン状態であったか、または計算機サーバ２０１と通信不能なオフライン状態であったかを示す情報である。居場所情報３０４は、通行者の現在の居場所を示す第１の居場所情報である。
【００１３】
以上がＩＤカード３０１の説明である。続いて、再び図１を参照しながら出入管理装置１０１の構成を説明する。出入管理装置１０１は、個人識別情報記録部１０２と、通行履歴情報記録部１０３と、管理情報記録部１０４と、通行判定処理部１０５と、を有する。
【００１４】
個人識別情報記録部１０２には、出入管理装置１０１の通行を許可された者の個人識別情報が記録されている。この個人識別情報は、出入管理装置１０１がオンライン状態である時に計算機サーバ２０１から定期的にダウンロードされる。
【００１５】
通行履歴情報記録部１０３には、オフライン通行履歴情報が記録されている。このオフライン通行履歴情報は、出入管理装置１０１がオフライン状態である時に、通行者がこの出入管理装置１０１を通行した通行履歴を示す。
【００１６】
管理情報記録部１０４には、通行人の出入りを管理するための管理情報が記録されている。この管理情報には、例えば、当該出入管理装置１０１の設置場所、換言すると出入管理装置１０１が通行者の出入りを管理する場所を示す情報や、当該出入管理装置１０１がオンライン状態またはオフライン状態のいずれの状態であるのかを示す情報などが含まれる。
【００１７】
通行判定処理部１０５は、個人認証処理部１０６と、通行モード判定部１０７と、居場所判定部１０８と、通行履歴更新部１０９と、を有する。個人認証処理部１０６は、ＩＤカード３０１から個人識別情報３０２を読み取り、読み取った個人識別情報３０２が出入管理装置１０１の通行を許可された者か否か判定する。通行モード判定部１０７は、ＩＤカード３０１から前回通行モード情報３０３を読み取り、読み取った前回通行モード情報３０３を居場所判定部１０８へ送る。居場所判定部１０８は、前回通行モード情報３０３に基づいて、通行者の通行を許可するか否か判定する。通行履歴更新部１０９は、通行者の通行が許可された場合に、居場所情報３０４と前回通行モード情報３０３とをそれぞれ更新する。さらに、通行履歴更新部１０９は、出入管理装置１０１がオンライン状態のときに、通行者がこの出入管理装置１０１を通行した通行履歴を計算機サーバ２０１へ送る。
【００１８】
以上が出入管理装置１０１の説明である。続いて、計算機サーバ２０１の構成を説明する。計算機サーバ２０１は、個人識別情報データベース２０２と、居場所情報データベース２０３と、通行履歴情報データベース２０４と、を有する。
【００１９】
個人識別情報データベース２０２は、出入管理装置１０１の通行を許可された者の個人識別情報を有する。この個人識別情報が、出入管理装置１０１の個人識別情報記録部１０２に定期的にダウンロードされる。
【００２０】
居場所情報データベース２０３は、出入管理装置１０１を通行した通行者全員の現在または過去の居場所をそれぞれ示す第２の居場所情報を有する。この第２の居場所情報は、通行者が出入管理装置１０１を通行した際に、当該出入管理装置１０１の設置場所に基づいて更新される。
【００２１】
通行履歴情報データベース２０４は、通行者全員の出入管理装置１０１の通行履歴を示す通行履歴情報が記録されている。この通行履歴情報は、出入管理装置１０１の通行履歴情報記録部１０３から送られた通行履歴に基づいて更新される。
【００２２】
以下、図３および図４を参照しながら本実施形態に係る出入管理システム１１の動作の一例について説明する。ここでは、通行者が、図３に示すオフライン状態の出入管理装置１０１を通行した後、図４に示すオンライン状態の他の出入管理装置１０１を通行する場面を想定する。
【００２３】
まず、図３に基づいて、通行者が、オフライン状態の出入管理装置１０１を通行する際の出入管理システム１１の動作を説明する。
【００２４】
最初に、オフライン状態の出入管理装置１０１の個人認証処理部１０６が、ＩＤカード３０１から個人識別情報３０２を読み取る(ステップＳ１)。続いて、個人認証処理部１０６は、個人識別情報記録部１０２に対し、読み取った個人識別情報３０２が記録されているか否か照会する。個人識別情報記録部１０２は、個人識別情報３０２を検索し、検索結果を個人認証処理部１０６へ通知する（ステップＳ２）。
【００２５】
個人識別情報３０２が個人識別情報記録部１０２に記録されている場合、個人認証処理部１０６は、その旨を通行モード判定部１０７へ通知する(ステップＳ３)。個人識別情報３０２が個人識別情報記録部１０２に記録されていなかった場合、個人認証処理部１０６は、このＩＤカード３０１を所持する通行者が、この出入管理装置１０１の通行を許可された者でないと判定し、通行者の通行を許可しない。
【００２６】
上記ステップＳ３に続いて、通行モード判定部１０７は、ＩＤカード３０１から前回通行モード情報３０３を読み取り(ステップＳ４)、読み取った前回通行モード情報３０３を居場所判定部１０８へ送る(ステップＳ５)。
【００２７】
上記ステップＳ５に続いて、居場所判定部１０８は、ＩＤカード３０１から居場所情報３０４を読み取る(ステップＳ６)。その後、居場所判定部１０８は、管理情報記録部１０４から管理情報を読み取り（ステップＳ７）、この管理情報と居場所情報３０４とに基づいて、通行者の通行を許可するか否か判定する。ここで、居場所判定部１０８の判定動作について詳しく説明する。
【００２８】
管理情報記録部１０４に記録された管理情報には、上述したように、出入管理装置１０１が通行者の出入りを管理する場所が示されている。例えば、この出入管理装置１０１が、図２に示す場所Ｂから場所Ｃへ向かう通行者の通行を管理している場合、居場所判定部１０８は、居場所情報３０４が場所Ｂであるか否か判定する。つまり、居場所判定部１０８は、出入管理装置１０１の通行管理場所に基づいて居場所情報３０４の当否を判定する。
【００２９】
居場所情報３０４が場所Ｂである場合、居場所判定部１０８は、居場所情報３０４が正しいと判定し、通行者の通行を許可する。一方、居場所情報３０４が場所Ｂでない場合、居場所判定部１０８は、居場所情報３０４が正しくないと判定し、通行者の通行を許可しない。
【００３０】
居場所判定部１０８が通行者の通行を許可した場合、通行履歴更新部１０９は、ＩＤカード３０１の前回通行モード情報３０３および居場所情報３０４を更新する（ステップＳ８、Ｓ９）。さらに、通行履歴更新部１０９は、この通行者がこの出入管理装置１０１を通行したことを示す情報を通行履歴情報記録部１０３へ送る（ステップＳ１０）。通行履歴情報記録部１０３は、この情報をオフライン通行履歴情報として記録する。
【００３１】
次に、図４に基づいて、通行者がオンライン状態の他の出入管理装置１０１を通行する際の出入管理システム１１の動作を説明する。
【００３２】
最初に、個人認証処理部１０６が、ＩＤカード３０１から個人識別情報３０２を読み取る(ステップＳ１１)。続いて、個人認証処理部１０６は、計算機サーバ２０１の個人識別情報データベース２０２に対して、ＩＤカード３０１から読み取った個人識別情報３０２が記録されているか否か照会する(ステップＳ１２)。個人識別情報データベース２０２は、個人識別情報３０２を検索し、検索結果を個人認証処理部１０６へ通知する(ステップＳ１３)。
【００３３】
個人識別情報３０２が個人識別情報データベース２０２に記録されている場合、個人認証処理部１０６は、その旨を通行モード判定部１０７へ通知する(ステップＳ１４)。一方、個人識別情報３０２が個人識別情報データベース２０２に記録されていなかった場合、個人認証処理部１０６は、通行者が、この出入管理装置１０１の通行を許可された者でないと判定し、この通行者の通行を許可しない。
【００３４】
上記ステップＳ１４に続いて、通行モード判定部１０７は、ＩＤカード３０１から前回通行モード情報３０３を読み取り(ステップＳ１５)、読み取った前回通行モード情報３０３を居場所判定部１０８へ送る(ステップＳ１６)。本実施形態では、前回通行モード情報３０３は、オフライン状態を示す。
【００３５】
上記ステップＳ１６に続いて、居場所判定部１０８は、ＩＤカード３０１から居場所情報３０４を読み取り(ステップＳ１７)、読み取った居場所情報３０４と前回通行モード情報３０３とに基づいて通行者の通行を許可するか否か判定する。ここで、居場所判定部１０８の判定動作について詳しく説明する。
【００３６】
前回通行モード情報３０３がオンライン状態を示す場合、計算機サーバ２０１の居場所情報データベース２０３に記録された第２の居場所情報は、通行者の現在の居場所に更新されている。そこで、居場所判定部１０８は、居場所情報データベース２０３に対して居場所情報３０４が記録されているか否か照会する(ステップＳ１８)。居場所情報データベース２０３は、居場所情報３０４を検索し、検索結果を居場所判定部１０８へ通知する(ステップＳ１９)。居場所情報３０４が居場所情報データベース２０３に記録されている場合、居場所判定部１０８は、居場所情報３０４が正しいと判定し、通行者の通行を許可する。一方、居場所情報３０４が居場所情報データベース２０３に記録されていなかった場合、居場所判定部１０８は、居場所情報３０４が正しくないと判定し、通行者の通行を許可しない。これが本実施形態における第１の判定動作である。
【００３７】
反対に、前回通行モード情報３０３がオフライン状態を示す場合、居場所情報データベース２０３に記録された第２の居場所情報は、通行者の現在の居場所に更新されておらず、通行者の過去の居場所を示す。この場合、居場所判定部１０８は、管理情報記録部１０４から管理情報を読み取り（ステップＳ２０）、読み取った管理情報と居場所情報３０４とに基づいて通行判定を行う。例えば、この出入管理装置１０１が図２に示す場所Ｃから図２に示す場所Ｅへ向かう通行者の通行を管理する場合、居場所判定部１０８は、居場所情報３０４が場所Ｃであるか否か判定する。つまり、居場所判定部１０８は、出入管理装置１０１の通行管理場所に基づいて居場所情報３０４の当否を判定する。居場所情報３０４が場所Ｃである場合、居場所判定部１０８は、居場所情報３０４が正しいと判定し、当該通行者の通行を許可する。一方、居場所情報３０４が場所Ｃでない場合、居場所判定部１０８は、居場所情報３０４が正しくないと判定し、通行者の通行を許可しない。これが、本実施形態における第２の判定動作である。
【００３８】
上記第１の判定動作または上記第２の判定動作の後、通行履歴更新部１０９は、ＩＤカード３０１の前回通行モード情報３０３および居場所情報３０４を更新する(ステップＳ２１、Ｓ２２）。さらに、通行履歴更新部１０９は、この通行者がこの出入管理装置１０１を通行した通行履歴を計算機サーバ２０１の通行履歴情報データベース２０４へ送る（ステップＳ２３）。通行履歴情報データベース２０４は、この通行履歴をこの通行者の通行履歴情報として記録する。
【００３９】
以上説明した本実施形態によれば、オフライン状態の出入管理装置１０１とオンライン状態の出入管理装置１０１とが混在する環境下においても、前回通行モード情報３０３がオンライン状態を示す場合には、居場所判定部１０８が、計算機サーバ２０１の情報を用いて通行判定動作を実行する。そのため、上記環境下においてオンライン状態の出入管理装置１０１までもが、オフライン状態の出入管理装置１０１と同様の通行判定動作を実行してしまう場合に比べて、不正な通行に対するセキュリティレベルを向上させることが可能となる。
【００４０】
（第２の実施形態）
以下、第２の実施形態に係る出入管理システムについて、第１の実施形態と異なる点を中心に説明する。図５は、第２の実施形態に係る出入管理システムの概略的な構成を示すブロック図である。図５に示すように、本実施形態に係る出入管理システム１２は、出入管理装置１２１と、計算機サーバ２２１と、を備える。
【００４１】
出入管理装置１２１は、居場所比較部１１０を有する点で第１の実施形態に係る出入管理装置１０１と異なる。居場所比較部１１０は、通行者の現在の居場所を特定し、特定した居場所と、ＩＤカード３０１から読み取った居場所情報３０４とを比較し、比較結果に基づく判定動作を行うように通行判定処理部１０５へ指示する。
【００４２】
計算機サーバ２２１は、オフライン通行履歴情報記録部２０５と、オフライン通行履歴情報抽出部２０６と、を有する点で第１の実施形態に係る計算機サーバ２０１と異なる。オフライン通行履歴情報記録部２０５には、出入管理装置１２１がオフライン状態であった時に通行した通行者全員の通行履歴を示すオフライン通行履歴情報が記録される。オフライン通行履歴情報抽出部２０６は、通行判定の対象となる通行者のオフライン通行履歴情報を、オフライン通行履歴情報記録部２０５から抽出する。
【００４３】
以下、図６および図７を参照しながら本実施形態に係る出入管理システム１２の動作の一例について説明する。ここでは、図６に示すオフライン状態の出入管理装置１２１が、通行者の通行後にオンライン状態に切り替わった場面を想定する。なお、図６では、通行履歴情報記録部１０３を除く出入管理装置１２１の構成要素は、以下に説明する動作と直接関係ないので記載を省略している。
【００４４】
出入管理装置１２１がオフライン状態からオンライン状態に切り替わると、通行履歴情報記録部１０３が、オフライン通行履歴情報を計算機サーバ２２１の通行履歴情報データベース２０４へ送る（ステップＳ３１）。通行履歴情報データベース２０４は、このオフライン通行履歴情報をオフライン通行履歴情報記録部２０５に記録し（ステップＳ３２）、さらに、このオフライン通行履歴情報に基づいて自身の通行履歴情報を更新する。続いて、通行履歴情報データベース２０４は、更新された通行履歴情報を居場所情報データベース２０３に送る（ステップＳ３３）。居場所情報データベース２０３は、この通行履歴情報に基づいて第２の居場所情報を更新する。
【００４５】
次に、通行者が図７に示すオンライン状態の出入管理装置１２１を通行する際の出入管理システム１２の動作を説明する。
【００４６】
図７に示すように、本実施形態の動作は、ステップＳ３４〜ステップＳ３８を有する点で図４に示す第１の実施形態の動作と異なる。そのため、ここではステップＳ３４〜ステップＳ３８を中心に説明し、第１の実施形態と同様のステップは説明を省略する。
【００４７】
第１の実施形態で説明したステップＳ１３に続くステップＳ３４において、個人識別情報データベース２０２は、個人識別情報３０２をオフライン通行履歴情報記録部２０５へ通知する。オフライン通行履歴情報記録部２０５は、この個人識別情報３０２で識別される通行者のオフライン通行履歴情報を検索する。
【００４８】
該当するオフライン通行履歴情報が見つかった場合、そのオフライン通行履歴情報は、オフライン通行履歴情報抽出部２０６により抽出される（ステップＳ３５）。その後、オフライン通行履歴情報抽出部２０６は、抽出したオフライン通行履歴情報を出入管理装置１２１の居場所比較部１１０へ送る（ステップＳ３６）。
【００４９】
居場所比較部１１０は、このオフライン通行履歴情報に基づいて通行者の現在の居場所を特定する。例えば、このオフライン通行履歴情報が、通行者が場所Ｂからオフライン状態の出入管理装置１２１を通行して場所Ｃへ入ったことを示す場合、居場所比較部１１０は、通行者の現在の居場所を場所Ｃと特定する。つまり、居場所比較部１１０は、オフライン通行履歴情報に示された通行者の行先をこの通行者の現在の居場所と特定する。
【００５０】
続いて、居場所比較部１１０は、ＩＤカード３０１から居場所情報３０４を読み取る（ステップＳ３７）。そして、居場所比較部１１０は、読み取った居場所情報３０４と、特定した通行者の現在の居場所とを比較し、比較結果に基づく判定動作を行うように通行モード判定部１０７へ指示する（ステップＳ３８）。以下にステップＳ３８について詳しく説明する。
【００５１】
居場所情報３０４と、特定した通行者の現在の居場所とが一致する場合、居場所比較部１１０は、計算機サーバ２２１に記録された第２の居場所情報に基づいて、通行者の通行を許可するか否か判定するように指示する。つまり、居場所比較部１１０は、第１の実施形態で説明した第１の判定動作を実行するように通行モード判定部１０７へ指示する。一方、居場所情報３０４と、特定した通行者の現在の居場所とが一致しない場合、居場所比較部１１０は、居場所情報３０４と管理情報とに基づいて通行者の通行を許可するか否か判定するように指示する。つまり、居場所比較部１１０は、第１の実施形態で説明した第２の判定動作を実行するように通行モード判定部１０７へ指示する。
【００５２】
以上説明したステップＳ３８に続いて、第１の実施形態で説明したステップＳ１５〜Ｓ１７が実行される。なお、ステップＳ１６において、通行モード判定部１０７は、ＩＤカード３０１から読み取った前回通行モード情報３０３と、居場所比較部１１０からの指示とを居場所判定部１０８へ送る。
【００５３】
居場所判定部１０８は、前回通行モード情報３０３および居場所比較部１１０の指示に基づく判定動作を実行する。以下にこの判定動作について説明する。
【００５４】
前回通行モード情報３０３がオンライン状態を示す場合、居場所判定部１０８は、第１の実施形態で説明した第１の判定動作を実行する（ステップＳ１８、Ｓ１９）。つまり、居場所判定部１０８は、計算機サーバ２２１の情報を用いて通行者の通行を許可するか否か判定する。
【００５５】
また、前回通行モード情報３０３がオフライン状態を示し、かつ居場所比較部１１０の指示が第１の判定動作の実行である場合にも、居場所判定部１０８は、第１の判定動作を実行する。
【００５６】
しかし、前回通行モード情報３０３がオフライン状態を示し、かつ居場所比較部１１０の指示が第２の判定動作の実行である場合には、居場所判定部１０８は、第２の判定動作を実行する（ステップＳ２０）。
【００５７】
上記第１の判定動作または上記第２の判定動作の後、通行履歴更新部１０９が第１の実施形態で説明したステップＳ２１〜Ｓ２３の動作を実行する。これにより、ＩＤカード３０１では前回通行モード情報３０３と居場所情報３０４とが更新され、計算機サーバ２２１では通行履歴情報と居場所情報とが更新される。
【００５８】
以上説明した本実施形態によれば、第１の実施形態と同様に、オフライン状態の出入管理装置１２１とオンライン状態の出入管理装置１２１とが混在する環境下においても、前回通行モード情報３０３がオンライン状態を示す場合には、居場所判定部１０８が、計算機サーバ２２１の情報を用いて通行判定動作を実行する。そのため、上記環境下においてオンライン状態の出入管理装置１２１までもが、オフライン状態の出入管理装置１２１と同様の通行判定動作を実行してしまう場合に比べて、不正な通行に対するセキュリティレベルを向上させることが可能となる。
【００５９】
特に、本実施形態では、出入管理装置１２１がオフライン状態からオンライン状態に復帰したときに、オフライン通行履歴情報がこの出入管理装置１２１から計算機サーバ２２１へ送られる。これにより、計算機サーバ２２１の情報が更新されるので、前回通行モード情報３０３がオフライン状態であっても、居場所判定部１０８が計算機サーバ２２１の情報を用いて通行判定できる。そのため、不正な通行に対するセキュリティレベルをさらに向上させることが可能となる。
【００６０】
（第３の実施形態）
以下、第３の実施形態に係る出入管理システムについて、第１の実施形態と異なる点を中心に説明する。図８は、第３の実施形態に係る出入管理システムの概略的な構成を示すブロック図である。図８に示すように、本実施形態に係る出入管理システム１３は、出入管理装置１３１と、計算機サーバ２０１と、を備える。この計算機サーバ２０１の構成は、第１の実施形態と同様なので説明を省略し、出入管理装置１３１の構成のみ説明する。
【００６１】
出入管理装置１３１は、判定結果書込み部１１１と、判定結果読取り部１１２と、を有する点で第１の実施形態に係る出入管理装置１０１と異なる。判定結果書込み部１１１は、居場所判定部１０８により通行者の通行が許可されなかった場合に、その旨を示す通行判定情報３０５をＩＤカード３０１に記録する。一方、判定結果読取り部１１２は、ＩＤカード３０１から通行判定情報３０５を読み取り、読み取った通行判定情報３０５を居場所判定部１０８へ送る。
【００６２】
以下、図９および図１０を参照しながら本実施形態に係る出入管理システム１３の動作の一例について説明する。ここでは、通行者が図９に示すオフライン状態の出入管理装置１３１を通行が許可されなかった後、図１０に示すオンライン状態の他の出入管理装置１３１を通行する場面を想定する。
【００６３】
まず、図９に基づいて、通行者がオフライン状態の出入管理装置１３１を通行する際の出入管理システム１３の動作を説明する。なお、図９では、判定結果読取り部１１２は、以下に説明する動作と直接関係ないので記載を省略している。
【００６４】
図９に示すように、本実施形態の動作は、ステップＳ７ａおよびステップＳ７ｂを有する点で、図３に示す第１の実施形態の動作と異なる。そのため、ここではステップＳ７ａとステップＳ７ｂを中心に説明し、第１の実施形態と同様のステップは説明を省略する。
【００６５】
第１の実施形態で説明したステップＳ６に続くステップＳ７ａにおいて、居場所判定部１０８は、通行者の通行を許可しなかった旨を判定結果書込み部１１１へ通知する。このステップＳ７ａに続くステップＳ７ｂにおいて、判定結果書込み部１１１は、当該通行者の通行が不許可であった旨を示す通行判定情報３０５をＩＤカード３０１に書き込む。なお、本実施形態では、通行履歴更新部１０９によって、ＩＤカード３０１の居場所情報３０４が、この通行者が入ろうとした場所に更新されている。例えば、場所Ｂから場所Ｃへの通行が許可されなかった場合、居場所情報３０４は場所Ｃに更新される。
【００６６】
次に、図１０に基づいて、通行者がオンライン状態の他の出入管理装置１３１を通行する際の出入管理システム１３の動作を説明する。なお、図１０では、個人識別情報記録部１０２と、通行履歴情報記録部１０３と、判定結果書込み部１１１とは、以下に説明する動作と直接関係ないので記載を省略している。
【００６７】
図１０に示すように、本実施形態の動作は、ステップＳ１７の代わりにステップＳ１７ａ〜ステップＳ１７ｃを有する点で図４に示す第１の実施形態の動作と異なる。そのため、ここではステップＳ１７ａ〜ステップＳ１７ｃを中心に説明し、第１の実施形態と同様のステップは説明を省略する。
【００６８】
第１の実施形態で説明したステップＳ１６に続くステップＳ１７ａ、１７ｂにおいて、判定結果読込み部１１２は、ＩＤカード３０１から居場所情報３０４と通行判定情報３０５とを読み取る。このステップＳ１７ａ、１７ｂに続くステップＳ１７ｃにおいて、判定結果読込み部１１２は、居場所情報３０４と通行判定情報３０５とを居場所判定部１０８へ送る。
【００６９】
上記ステップＳ１７ｃの後、居場所判定部１０８は、前回通行モード情報３０３と、居場所情報３０４と、通行判定情報３０５とに基づいて通行者の通行を許可するか否か判定する。以下に、居場所判定部１０８の判定動作について詳しく説明する。
【００７０】
前回通行モード情報３０３がオンライン状態を示す場合、居場所判定部１０８は、第１の実施形態で説明したステップＳ１８とステップＳ１９、つまり第１の判定動作を実行する。
【００７１】
前回通行モード情報３０３がオフライン状態を示し、かつ通行判定情報３０５が通行者の通行が不許可であったことを示す場合、居場所判定部１０８は、居場所情報３０４の１つ前の居場所情報を特定する。例えば、居場所情報３０４が場所Ｃである場合、居場所判定部１０８は、場所Ｃの１つ前の場所Ｂを特定する。続いて、居場所判定部１０８は、管理情報記録部１０４から管理情報を読み取り（ステップＳ２０）、読み取った管理情報と、特定した居場所情報とに基づいて通行判定を行う。これが、本実施形態における第３の判定動作である。
【００７２】
なお、図１０には示されていないが、上記第１の判定動作または上記第３の判定動作の後、通行履歴更新部１０９が、第１の実施形態と同様に、ＩＤカード３０１の前回通行モード情報３０３および居場所情報３０４を更新する。
【００７３】
以上説明した本実施形態によれば、第１の実施形態と同様に、オフライン状態の出入管理装置１３１とオンライン状態の出入管理装置１３１とが混在する環境下においても、前回通行モード情報３０３がオンライン状態を示す場合には、居場所判定部１０８が、計算機サーバ２０１の情報を用いて通行判定動作を実行する。そのため、上記環境下においてオンライン状態の出入管理装置１３１までもが、オフライン状態の出入管理装置１３１と同様の通行判定動作を実行してしまう場合に比べて、不正な通行に対するセキュリティレベルを向上させることが可能となる。
【００７４】
特に、本実施形態では、通行者の通行が不許可にも関わらずＩＤカード３０１の居場所情報３０４が更新されても、居場所判定部１０８が上記第３の判定動作を行うので、通行者の現在の居場所を正しく把握した上で通行判定することが可能となる。
【００７５】
（第４の実施形態）
以下、第４の実施形態に係る出入管理システムについて、第１の実施形態と異なる点を中心に説明する。図１１は、第４の実施形態に係る出入管理システムの概略的な構成を示すブロック図である。図１１に示すように、本実施形態に係る出入管理システム１４は、出入管理装置１４１と、計算機サーバ２３１と、を備える。
【００７６】
出入管理装置１４１は、通行判定処理部１０５内に通行履歴収集部１１３を有する点で第１の実施形態に係る出入管理装置１０１と異なる。通行履歴収集部１１３は、ＩＤカード３０１から通行履歴情報３０６読み取り、読み取った通行履歴情報３０６を通行履歴更新部１０９へ送る。また、通行履歴収集部１１３は、ＩＤカード３０１の通行履歴情報３０６を更新する。この通行履歴情報３０６には、ＩＤカード３０１を所持する通行者が通行した出入管理装置の通行履歴が示されている。
【００７７】
計算機サーバ２３１は、通行履歴比較部２０７と、通行履歴アンマッチ情報記録部２０８と、を有する点で第１の実施形態に係る計算機サーバ２０１と異なる。通行履歴比較部２０７は、オフライン状態からオンライン状態に切り替わった出入管理装置１４１から送られたオフライン通行履歴情報と、オンライン状態の他の出入管理装置１４１から送られた通行履歴情報とを比較する。その結果、オフライン通行履歴情報が通行履歴情報に含まれていない通行者が存在した場合、当該通行者を示す情報を通行履歴アンマッチ情報記録部２０８へ通知する。通行履歴アンマッチ情報記録部２０８は、通行履歴比較部２０７から送られた情報を通行履歴アンマッチ情報として記録する。
【００７８】
以下、図１２を参照しながら本実施形態に係る出入管理システム１４の動作の一例について説明する。ここでは、通行者が、オフライン状態の出入管理装置１４１を通行した後、オンライン状態の他の出入管理装置１４１を通行する場面を想定する。
【００７９】
なお、通行者がオフライン状態の出入管理装置１４１を通過する際の出入管理システム１４の動作は、第１の実施形態と同様なので説明を省略し、通行者がオンライン状態の出入管理装置１４１を通過する際の出入管理システム１４の動作のみを説明する。
【００８０】
図１２では、オフライン状態からオンライン状態に切り替わった出入管理装置１４１において、通行履歴情報記録部１０３を除く構成要素は、以下に説明する動作と直接関係ないので記載を省略している。また、オンライン状態の出入管理装置１４１において、個人識別情報記録部１０２と通行履歴情報記録部１０３とは、以下に説明する動作と直接関係ないので記載を省略している。
【００８１】
図１２に示すように、本実施形態の動作は、ステップＳ２１およびステップＳ２２の代わりにステップＳ２１ａおよびステップＳ２２ａを有し、さらにステップＳ２４と、ステップＳ３２ａ〜ステップＳ３４ａとを有する点で、図４に示す第１の実施形態の動作と異なる。そのため、ここではこれらのステップを中心に説明し、第１の実施形態と同様のステップは説明を省略する。
【００８２】
第１の実施形態で説明したステップＳ２０に続くステップＳ２１ａにおいて、通行履歴収集部１１３は、ＩＤカード３０５から通行履歴情報３０６を読み取る。続いて、通行履歴収集部１１３は、読み取った通行履歴情報３０６を通行履歴更新部１０９へ送る（ステップＳ２２ａ）。
【００８３】
通行履歴更新部１０９は、この通行履歴情報３０６を計算機サーバ２３１の通行履歴情報データベース２０４へ送る（ステップＳ２３）。このステップＳ２３に続くステップＳ２４において、通行履歴収集部１１３は、通行者がこのオンライン状態の出入管理装置１４１を通行した通行履歴をＩＤカード３０１の通行履歴情報３０６に加える。
【００８４】
上記ステップＳ２３の後に、オフライン状態からオンライン状態に切り替わった出入管理装置１４１が通行履歴情報記録部１０３に記録されているオフライン通行履歴情報を通行履歴情報データベース２０４へ送る(ステップＳ３１)。通行履歴情報データベース２０４は、このオフライン通行履歴情報や通行履歴更新部１０９から送られた通行履歴情報３０６に基づいて通行履歴情報を更新する。このとき、通行履歴比較部２０７が、このオフライン通行履歴情報とこの通行履歴情報３０６とを比較する(ステップＳ３２ａ)。その結果、このオフライン通行履歴情報がこの通行履歴情報３０６に含まれていない通行者が存在した場合、通行履歴比較部２０７は、当該通行者を示す情報を抽出し（ステップＳ３３ａ）、通行履歴アンマッチ情報記録部２０８へ送る(ステップＳ３４ａ)。これにより、通行履歴アンマッチ情報記録部２０８に通行履歴アンマッチ情報が記録される。
【００８５】
以上説明した本実施形態によれば、第１の実施形態と同様に、オフライン状態の出入管理装置１４１とオンライン状態の出入管理装置１４１とが混在する環境下においても、前回通行モード情報３０３がオンライン状態を示す場合には、居場所判定部１０８が、計算機サーバ２３１の情報を用いて通行判定動作を実行する。そのため、上記環境下においてオンライン状態の出入管理装置１４１までもが、オフライン状態の出入管理装置１４１と同様の通行判定動作を実行する場合に比べて、不正な通行に対するセキュリティレベルを向上させることが可能となる。
【００８６】
特に、本実施形態では、ＩＤカード３０６に通行履歴情報３０６が記録され、この通行履歴情報３０６が、オンライン状態の出入管理装置１４１を介して計算機サーバ２３１へ送られる。そのため、通行者が、オフライン状態の出入管理装置１４１を通行した後にオンライン状態の他の出入管理装置１４１を通過する際、オフライン状態の出入管理装置１４１がオンライン状態に復帰していなくても、計算機サーバ２３１の情報が更新される。よって、計算機サーバ２３１の情報を用いて通行判定できるようになるので、不正な通行に対するセキュリティレベルをより向上させることが可能となる。
【００８７】
（第５の実施形態）
以下、第５の実施形態に係る出入管理システムについて、第４の実施形態と異なる点を中心に説明する。図１３は、第５の実施形態に係る出入管理システムの概略的な構成を示すブロック図である。
【００８８】
図１３に示すように、本実施形態に係る出入管理システム１５は、出入管理装置１５１と、計算機サーバ２３１と、を備える。この計算機サーバ２３１の構成は、第４の実施形態と同様なので説明を省略し、出入管理装置１５１の構成のみ説明する。
【００８９】
収入管理装置１５１は、通行制限判定部１１４を有する点で第４の実施形態に係る出入管理装置１４１と異なる。通行制限判定部１１４は、計算機サーバ２３１から通行履歴アンマッチ情報を受け取った場合に、通行者の通行を許可しないように通行判定処理部１０５に指示する。
【００９０】
以下、図１４を参照しながら本実施形態に係る出入管理システム１５の動作の一例について説明する。ここでは、通行者が、オフライン状態の出入管理装置１５１を通行した後、オンライン状態の他の出入管理装置１５１を通行する場面を想定する。通行者がオフライン状態の出入管理装置１５１を通過する際の出入管理システム１５の動作は、第４の実施形態と同様なので説明を省略し、通行者がオンライン状態の出入管理装置１５１を通過する際の出入管理システム１５の動作のみ説明する。
【００９１】
なお、本実施形態では、通行者がオンライン状態の他の出入管理装置１５１を通行する前に、オフライン状態の出入管理装置１５１がオンライン状態に切り替わっている設定とする。つまり、通行者がオンライン状態の他の出入管理装置１５１を通行するときに、既にオフライン通行履歴情報は計算機サーバ２３１へ送られ、さらに、計算機サーバ２３１には、このオフライン通行履歴情報に基づく通行履歴アンマッチ情報が記録されている。
【００９２】
図１４に示すように、本実施形態の動作は、ステップ３５ａ〜ステップＳ３７ａを有する点で図１２に示す第４の実施形態の動作と異なる。そのため、ここではステップ３５ａ〜ステップＳ３７ａを中心に説明し、第４の実施形態と同様のステップは説明を省略する。
【００９３】
第１の個人識別情報データベース２０２は、個人識別情報３０２の検索結果を個人認証処理部１０６へ通知した後(ステップＳ１３)、この個人識別情報３０２を通行履歴アンマッチ情報記録部２０８へ送る(ステップＳ３５ａ)。
【００９４】
通行履歴アンマッチ情報記録部２０８は、この個人識別情報３０２に対応する通行履歴アンマッチ情報を検索する。その結果、該当する通行履歴アンマッチ情報が見つかった場合、通行履歴アンマッチ情報記録部２０８は、その通行履歴アンマッチ情報を通行制限判定部１１４へ送る（ステップＳ３６ａ）。
【００９５】
通行履歴アンマッチ情報は、オフライン通行履歴情報が通行履歴情報３０６に含まれていない通行者を示す。通行履歴情報３０６には、通常、オフライン状態の出入管理装置１５１の通行履歴も含まれているので、通行履歴情報３０６とオフライン通行履歴情報とは重複する。しかし、例えば、ＩＤカード３０１が改ざんされている場合、通行履歴情報３０６には、オフライン通行履歴情報が含まれていない。このようなＩＤカード３０１を所持する通行者は、通行を許可されていない者である可能性が高い。
【００９６】
そこで、通行制限判定部１１４は、計算機サーバ２３１から通行履歴アンマッチ情報を受け取った場合、通行者の通行を許可しないよう個人認証処理部１０５へ指示する(ステップＳ３７ａ)。個人認証処理部１０５は、この指示を受け取ると通行者の通行を許可しない。なお、このとき、個人認証処理部１０５は、この通行者の退出を促すために退出方向の通行を許可してもよい。
【００９７】
以上説明した本実施形態によれば、第１の実施形態と同様に、オフライン状態の出入管理装置１５１とオンライン状態の出入管理装置１５１とが混在する環境下においても、前回通行モード情報３０３がオンライン状態を示す場合には、居場所判定部１０８が、計算機サーバ２３１の情報を用いて通行判定動作を実行する。そのため、上記環境下においてオンライン状態の出入管理装置１５１までもが、オフライン状態の出入管理装置１５１と同様の通行判定動作を実行してしまう場合に比べて、不正な通行に対するセキュリティレベルを向上させることが可能となる。
【００９８】
特に、本実施形態では、ＩＤカード３０１の通行履歴情報３０６の正当性を確認した上で通行判定しているので、不正な通行に対するセキュリティレベルをさらに向上させることが可能となる。
【００９９】
以上、いくつかの実施形態を説明したが、これらの実施形態は、例としてのみ提示したものであり、発明の範囲を限定することを意図したものではない。本明細書で説明した新規なシステムは、その他の様々な形態で実施することができる。また、本明細書で説明したシステムの形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【０１００】
１１〜１５  出入管理システム、１０１、１２１、１３１、１４１、１５１  出入管理装置、１０５  通行判定処理部、１１０  居場所比較部、１１４  通行制限判定部、２０１、２２１、２３１  計算機サーバ、３０１  ＩＤカード
【図１】
0006549904.tif 000002
【図２】
0006549904.tif 000003
【図３】
0006549904.tif 000004
【図４】
0006549904.tif 000005
【図５】
0006549904.tif 000006
【図６】
0006549904.tif 000007
【図７】
0006549904.tif 000008
【図８】
0006549904.tif 000009
【図９】
0006549904.tif 000010
【図１０】
0006549904.tif 000011
【図１１】
0006549904.tif 000012
【図１２】
0006549904.tif 000013
【図１３】
0006549904.tif 000014
【図１４】
0006549904.tif 000015